(57)【要約】【課題】本発明は、記録媒体と、それを用いる電子機器に関するもので、衝撃発生時でも、元の読取層への復元動作が行えるようにすることを目的とするものである。【解決手段】そして、この目的を達成するために本発明は、中心部に回転駆動用貫通孔２Ａが形成された円板状の記録媒体であって、この記録媒体内の厚さ方向には、複数の渦巻状のホログラム層３が、所定間隔で、多層状態に形成され、これら各渦巻状のホログラム層３は、情報記録用のホログラムで構成され、かつ各渦巻状のホログラム層３の内周側のホログラム４Ｇには、層検出情報が記録された構成としたものである。【選択図】図４
2010198670.tif 000002
【特許請求の範囲】
【請求項１】
中心部に回転駆動用貫通孔が形成された円板状の記録媒体であって、この記録媒体内の厚さ方向には、複数の渦巻状のホログラム層が、所定間隔で、多層状態に形成され、これら各渦巻状のホログラム層は、情報記録用のホログラムで構成され、かつ各渦巻状のホログラム層の内周側のホログラムには、層検出情報が記録された記録媒体。
【請求項２】
各渦巻状のホログラム層の内周側のホログラムには、層検出情報が記録され、この層検出情報の両側のホログラムには、トラッキング情報が記録された請求項１に記載の記録媒体。
【請求項３】
請求項１、または２に記載の記録媒体から記録情報を読み取る電子機器であって、前記記録媒体の回転駆動用貫通孔に挿入される駆動軸と、前記記録媒体の少なくとも一面側から、この記録媒体内の渦巻状のホログラム層に光を照射する光供給手段と、この光供給手段から前記渦巻状のホログラム層に照射され、この渦巻状のホログラム層から反射した反射光を読み取る受光手段とを備え、前記受光手段で読み取った前記記録媒体の層検出情報からの光情報により、この記録媒体の読取層を検出する制御部を設けた電子機器。
【請求項４】
光供給手段を、記録媒体の内、外周側へと移動させる駆動手段を設け、光供給手段がアクセスする記録媒体の位置情報喪失時には、制御部により、前記駆動手段で、光供給手段を記録媒体の内周側へと移動させる構成とした請求項３に記載の電子機器。
【請求項５】
前記駆動手段で、光供給手段を記録媒体の内周側へと移動させた後、この駆動手段により光供給手段を記録媒体の外周側へと移動させる構成とした請求項４に記載の電子機器。
【請求項６】
光供給手段を、記録媒体の内、外周側へと移動させるとともに、この記録媒体との距離を可変させる駆動手段を設け、光供給手段がアクセスする記録媒体の位置情報喪失時には、制御部により、前記駆動手段で、先ず光供給手段を記録媒体の内周側へと移動させ、次にこの光供給手段と記録媒体との相対距離を可変し、その後この光供給手段を記録媒体の外周側へと移動させる構成とした請求項３に記載の電子機器。
【発明の詳細な説明】
【技術分野】
【０００１】
本発明は、記録媒体と、それを用いる電子機器に関するものである。
【背景技術】
【０００２】
近年、記録容量を大きくするために、下記特許文献１に示すごとく、記録媒体に多層記録することが種々提案されている。
【０００３】
すなわち、下記特許文献１に示すものでは、円板状の記録媒体内の厚さ方向に、複数のホログラム層を多層状態で設けているので、記録容量は極めて大きくなる。
【０００４】
この特許文献１に示した従来例の特徴点は、記録媒体にホログラム層を予め設けているので、この記録媒体への記録時でも、再生時でも、記録媒体の片側から、そのホログラム層に向けて光を照射すれば良いという点である。
【０００５】
すなわち、記録時には、記録媒体の片側から、そのホログラム層の記録部分のホログラムに光を照射し、光学的な変質を起こさせ、ホログラムを消失させる部分と、光を照射せず、ホログラムを残存させる部分とを形成することで、デジタル的な記録を行うことが出来る。
【０００６】
また、再生時にも、記録媒体の片側から、そのホログラム層のホログラムの消失部分と、ホログラムの残存部分に光を照射し、そこからの反射光を読み取れば、デジタル的な再生を行うことが出来る。
【特許文献１】米国特許第７３８８６９５号明細書
【発明の開示】
【発明が解決しようとする課題】
【０００７】
上述したように、円板状の記録媒体の内部に、複数層のホログラム層を設けたものでは、記録容量が極めて多くなるが、例えば、記録の読み取り時に衝撃が加わると、光供給手段から記録媒体への光照射部分が、現読取層から他の層へと移動して（飛んで）しまい、この時には衝撃移動後の層が何層目かを判別することが出来ないので、元の読取層への復元動作が行えないという課題があった。
【０００８】
そこで、本発明は、衝撃発生時でも、元の読取層への復元動作が行えるようにすることを目的とするものである。
【課題を解決するための手段】
【０００９】
そして、この目的を達成するために本発明は、中心部に回転駆動用貫通孔が形成された円板状の記録媒体であって、この記録媒体内の厚さ方向には、複数の渦巻状のホログラム層が、所定間隔で、多層状態に形成され、これら各渦巻状のホログラム層は、情報記録用のホログラムで構成され、かつ各渦巻状のホログラム層の内周側のホログラムには、層検出情報が記録された構成とし、これにより所期の目的を達成するものである。
【発明の効果】
【００１０】
以上のように本発明は、中心部に回転駆動用貫通孔が形成された円板状の記録媒体であって、この記録媒体内の厚さ方向には、複数の渦巻状のホログラム層が、所定間隔で、多層状態に形成され、これら各渦巻状のホログラム層は、情報記録用のホログラムで構成され、かつ各渦巻状のホログラム層の内周側のホログラムには、層検出情報が記録された構成としたものであるので、衝撃発生時の復元動作が行えるようになる。
【００１１】
すなわち、本発明では、各渦巻状のホログラム層の内周側のホログラムに、層検出情報を記録させたものであるので、衝撃発生時には、衝撃移動後の層から、その層の内周側へと光供給手段による光照射部分を移動させ、その後この内周側のホログラムに記憶させた層検出情報を読み取ることで、移動後の層を検出することが出来、その結果として元の読取層への復元動作が行えるようになるのである。
【発明を実施するための最良の形態】
【００１２】
以下、本発明の一実施形態を、添付図面を用いて説明する。
【００１３】
図１は記録媒体として、ホログラムディスク（ＭＨ）、ＣＤ、ＤＶＤ、ＢＤを記録、再生することが出来る電子機器を示している。
【００１４】
先ずは記録媒体として、ホログラムディスク（ＭＨ）を用いた場合における、記録、再生について説明する。
【００１５】
図１に示したホログラムディスク（ＭＨ）１は、図２に示すように円板状の板体２で構成され、その中心部分に形成した回転駆動用貫通孔２Ａには、駆動軸（図示せず）が挿入され、これによりホログラムディスク（ＭＨ）１は回転駆動されるようになっている。
【００１６】
本実施形態で用いるホログラムディスク（ＭＨ）１は図１に示すように、板体２の内部にあらかじめ複数の渦巻状のホログラム層３が所定間隔をおいて形成されたものである。
【００１７】
また、各渦巻状のホログラム層３は、図２、図３からも理解されるように、渦巻状のホログラム帯４により構成したものであるが、各層の渦巻状のホログラム帯４は、それぞれ上、下層の渦巻状のホログラム帯４とは分離されている。つまり、各層の渦巻状のホログラム帯４の外周端、内周端とも、それぞれ上、下方向に所定間隔をおいて配置されている。
【００１８】
本実施形態では、上記（特許文献１）の技術を利用し、板体２の内部に、上、下に所定間隔をおいて配置された複数の渦巻状のホログラム帯４よりなる渦巻状のホログラム層３を形成したものであって、記録時には渦巻状のホログラム帯４に光を照射して光学的な変質を起こさせ、その部分の渦巻状のホログラム帯４を消失（例えばデジタル信号の０）させ、また光を照射しない部分の渦巻状のホログラム帯４は元の状態、つまり非消失（例えばデジタル信号の１）の状態として保持し、これにより円周方向に、断続的な「０」「１」のデジタル記録が行えるものである。
【００１９】
そして、再生時には、前記「０」「１」のデジタル信号を読み取って、再生を行うのである。
【００２０】
本実施形態における特徴点の一つは、図２、図３に示すごとく、渦巻状のホログラム層３の一層毎が、連続した渦巻状のホログラム帯４により構成されていることである。
【００２１】
各渦巻状のホログラム帯４は、図３に示すごとく上、下方向に複数の干渉縞を有するものであり、これら上、下方向の干渉縞のうち、上、下方向の中間層部分（例えば４Ｘ）は幅（渦巻状のホログラム帯４の長手方向に直行する方向）が広く、その中間層部分（例えば４Ｘ）から上方の上方層（例えば４Ｙ）になればなるほど幅は狭くなっており、また前記中間層部分（例えば４Ｘ）から下方の下方層（例えば４Ｚ）になればなるほど幅が狭くなっている。
【００２２】
以下、図１〜図３を用いて、ホログラムディスク（ＭＨ）１に形成した渦巻状のホログラム帯４への記録、再生について説明する。
【００２３】
図１のレーザダイオード５から出射された青色のレーザ光（４０５ｎｍ）は、リレーレンズ６、ビームスプリッタ７、液晶式の１／２波長板８、球面収差補正素子９、ビームスプリッタ１０、１／４波長板１１を通過し、レンズ１２を介して渦巻状のホログラム層３の目的とする層（深さ方向で目的とする層）の渦巻状のホログラム帯４に照射される。
【００２４】
なお、目的とする層（深さ方向の層）に焦点を合わせるためには、レンズ１２とホログラムディスク（ＭＨ）１との距離を可変することとしている。
【００２５】
記録時においては、渦巻状のホログラム帯４に照射するレーザ光を強く（読み取り時の約１０倍）しており、これによりレーザ光が照射された部分の渦巻状のホログラム帯４は光学的な変性を起こして、その部分のホログラムが消失し、またレーザ光が照射されなかった部分の渦巻状のホログラム帯４は光学的な変性は起こさず、非消失状態となる。つまりこれによりデジタル的な、いわゆる「０」「１」のデジタル信号による記録が行われる。
【００２６】
なお、ビームスプリッタ７は青色のレーザ光は通過させるが、赤色や赤外のレーザ光は通過させないものである。
【００２７】
また液晶式の１／２波長板８は、電圧印加により偏光方向を変えるものであるが、この図１の場合は、０ＦＦ状態である。
【００２８】
さらにビームスプリッタ１０は、Ｐ偏光を通過させ、Ｓ偏光は反射させるものである。
【００２９】
次に、再生について説明する。
【００３０】
図１における破線は信号再生時を示し、この時は渦巻状のホログラム帯４に照射するレーザ光を弱く（記録時の１／１０）しているので、渦巻状のホログラム層３の渦巻状のホログラム帯４に光学的な変性は発生せず、ひたすら渦巻状のホログラム帯４からの反射光を受光素子１３で受光し、再生信号を得るようにしている。
【００３１】
渦巻状のホログラム帯４からの反射光は、レンズ１２に到達する前に一度１／４波長板１１を通過しているので、反射光として再度この１／４波長板１１を通過することでＰ偏光からＳ偏光となり、よってビームスプリッタ１０で反射され、次に球面収差補正素子１４、ＢＤのトラッキング用素子１５、焦点調整レンズ１６を介して上述のごとく受光素子１３に到達し、読み取りが行われるようになっている。
【００３２】
以上の説明で、基本的な構成と動作が理解されたところで、以下に各部の特徴点について説明する。
【００３３】
本実施形態においては、記録時、上記レーザダイオード５から出射された青色のレーザ光は、目的とする層の渦巻状のホログラム帯４に照射され、その照射部分の渦巻状のホログラム帯４を消失させることになる。
【００３４】
図４における４Ａ、４Ｂ部分が、この渦巻状のホログラム帯４の消失エリア（デジタル信号の例えば０）となり、このうち消失エリア４Ａは単発の消失エリアで、４Ｂは渦巻状のホログラム帯４の長手方向に、渦巻状のホログラム帯４の消失エリア４Ａが連続形成された状態を示している。
【００３５】
また、これらの消失エリア４Ａ、４Ｂ以外の渦巻状のホログラム帯４は、例えば非消失エリア（デジタル信号の例えば１）４Ｃ、４Ｄとなっており、このうち非消失エリア４Ｃは単発的な非消失エリアで、４Ｄは非消失エリア４Ｃが連続形成された状態を示している。
【００３６】
本実施形態においては、図４の消失エリア４Ａに示した５Ａが、上記レーザダイオード５から出射され、渦巻状のホログラム帯４に照射された青色のレーザ光（円形光）を示している。
【００３７】
ここで重要なことは、本実施形態の記録時においては、図５に示すごとく、渦巻状のホログラム帯４に照射する青色のレーザ光（円形光）５Ａは、エネルギーレベルＫを超えた部分が、渦巻状のホログラム帯４の長手方向に直交する方向の幅よりも小さくなるようにしていることであり、これにより本実施形態では記録時のレーザ光（円形光）５Ａを、以降は図５の小径の５ａと表現する。
【００３８】
そして、さらに特徴的なことは、記録時のこの小径のレーザ光（円形光）５ａを図４のごとく、渦巻状のホログラム帯４の長手方向の両側に非照射部分が出来るように、長手方向の中心線部分を掃引する状態で照射することである。
【００３９】
つまり、このようにすれば、記録時に図４に示すように、レーザダイオード５からレーザ光（円形光）５ａを出射すれば、渦巻状のホログラム帯４の長手方向には、渦巻状のホログラム帯４の消失エリア４Ａ、４Ｂと非消失エリア４Ｃ、４Ｄが形成されるが、さらに前記消失エリア４Ａ、４Ｂであっても、渦巻状のホログラム帯４の長手方向に直交する方向の両側には、渦巻状のホログラム帯４の非消失エリア４Ｅ、４Ｆが形成される。
【００４０】
これらの非消失エリア４Ｅ、４Ｆにおいては、図３から理解されるようにホログラム（４Ｘ、およびその近傍のホログラム）が存在しており、本実施形態ではこのように非消失エリア４Ｅ、４Ｆであっても残存しているホログラム（４Ｘ、およびその近傍のホログラム）をトラッキング情報として活用するものである。
【００４１】
勿論、非消失エリア４Ｃ、４Ｄにおいては、渦巻状のホログラム帯４の長手方向に直交する両側には、同じく図３に示すホログラム（４Ｘ、およびその近傍のホログラム）が存在しているので、結論として渦巻状のホログラム帯４の長手方向に直交する両側には、トラッキング情報エリアが形成された状態となっており、このトラッキング情報エリアからのトラッキング情報を活用し、適切なトラッキング制御を行うことが出来るようになる。
【００４２】
また、このようなトラッキング情報エリアは、内層の渦巻状のホログラム帯４であっても形成されているので、この内層の渦巻状のホログラム帯４への記録、再生時にも、このトラッキング情報エリアからのトラッキング情報を活用し、適切なトラッキング制御を行うことが出来るようになるのである。
【００４３】
また、このようなトラッキング情報エリアは、消失エリア４Ａ、４Ｂであっても、渦巻状のホログラム帯４の長手方向に直交する方向の幅の両側に非消失エリア４Ｅ、４Ｆを残すだけで形成することができるので、極めて安定的に形成出来るものとなる。
【００４４】
図６、図７は上記トラッキング情報エリアからのトラッキング情報によりトラッキングを行う状態を説明するものである。
【００４５】
なお、トラッキング制御としては位相差法や、３ビーム法が存在し、それらの制御は良く知られたものであるので、本実施形態では、この部分については簡単な説明にとどめる。
【００４６】
図６は、再生時におけるトラッキング制御を示している。この時、レーザダイオード５から照射されるレーザ光（円形光）５Ａは、再生時であるので、渦巻状のホログラム帯４に実際に現れる大きさの５Ａとしている。
【００４７】
このようなレーザ光（円形光）５Ａが渦巻状のホログラム帯４に掃引、照射されると渦巻状のホログラム帯４の長手方向に直交する両側に存在するトラッキング情報エリアからのトラッキング情報により受光素子１３に接続された位相比較器（図７の１３Ａ）では、内外へのずれが検出される。
【００４８】
図７（ｂ）はトラッキングずれの無い状態で、この時には、位相を考慮した位相比較器１３ＡでのＡ＋ＣとＢ＋Ｄの位相が同じ状態となるので、レンズ１２のトラッキング制御は行われない。
【００４９】
図７（ａ）は、レーザ光（円形光）５Ａが渦巻状のホログラム帯４の非消失エリア４Ｆ側に片寄った状態を示し、この時にはＢ＋Ｄの位相がＡ＋Ｃの位相よりも早く検出されるので、この非消失エリア４Ｆ側に片寄った状態が検出され、その結果としてレンズ１２を中央に戻すトラッキング制御が行われる。
【００５０】
図７（ｃ）は、レーザ光（円形光）５Ａが渦巻状のホログラム帯４の非消失エリア４Ｅ側に片寄った状態を示し、この時にはＡ＋Ｃの位相がＢ＋Ｄの位相よりも早く検出されるので、この非消失エリア４Ｅ側に片寄った状態が検出され、その結果としてレンズ１２を中央に戻すトラッキング制御が行われる。
【００５１】
以上のごとく、本実施形態によれば、トラッキング情報エリアからのトラッキング情報を活用し、適切なトラッキング制御を行うことが出来る。
【００５２】
本実施形態では、図２のごとく、板体２の内部に、上、下方向に所定間隔をおいて複数の渦巻状のホログラム層３を設けたものにおいて、各渦巻状のホログラム層３を構成する渦巻状のホログラム帯４の内周側のホログラム（図８の４Ｇ）に、層検出情報を記録している。
【００５３】
また、この内周側のホログラム（図８の４Ｇ）の両側にも、上述したトラッキング情報エリアが存在する。
【００５４】
なお、本実施形態では、上述のごとく一層毎の渦巻状のホログラム層３が、連続した渦巻状のホログラム帯４により構成されているので、前記ホログラム（図８の４Ｇ）は、各渦巻状のホログラム帯４の最内周部近傍に、何層目かを示す「１」「０」のデジタル信号を、レーザダイオード５からのレーザ光（円形光）５ａにより書き込むか、あるいは、各渦巻状のホログラム帯４の作成時に、この内周部分に事前に作成してしまうか、により形成される。
【００５５】
そして、このように各渦巻状のホログラム層３を構成する渦巻状のホログラム帯４の最内周側のホログラム（図８の４Ｇ）に、何層目かを示す層検出情報を記録しておけば、各層への記録や再生時に、このホログラム（図８の４Ｇ）により、記録、あるいは再生するための目的とする渦巻状のホログラム層３を確認することができる。
【００５６】
また、図２、図３に示す各渦巻状のホログラム帯４の両側には、現在市販されているＤＶＤ等と同じようにアドレス情報（これらの図２、図３の図面の煩雑化を避けるために図示せず）が書き込まれているので、目的層の目的番地は、上記渦巻状のホログラム帯４の両側のアドレス情報で、確認できる構成となっている。
【００５７】
このアドレス確認についていま少し説明をすると、図４〜図６からも理解されるように、レーザ光（円形光）５Ａは渦巻状のホログラム帯４よりも大きくなっているので、各層の渦巻状のホログラム帯４の両側にアドレス情報を書き込んでおけば、この各層毎のアドレス情報をレーザ光（円形光）５Ａで簡単に読めるようになっているのである。
【００５８】
つまり、本実施形態では、上下に複数配置した各渦巻状のホログラム層３の目的とする場所は、先ず上述した各渦巻状のホログラム層３を構成する渦巻状のホログラム帯４の内周側のホログラム（図８の４Ｇ）で、何層目かを確認し、次に各渦巻状のホログラム帯４の両側のアドレス情報で、最終的なアドレス確認をすることで、最終的な確認が行える構成となっている。
【００５９】
そしてこのような目的場所（記録場所、あるいは再生場所）の確認をしながら記録や再生を行っている時に、衝撃が加わると、図９（ａ）の状態から、図９（ｂ）のごとく、レンズ１２が移動して（飛んで）しまう。
【００６０】
この状態になると、レンズ１２が、移動後の今、何層目の渦巻状のホログラム層３にスポット位置（記録場所、あるいは再生場所）があるのかが判別できず、この図９（ｂ）の状態から直ちに図９（ａ）の状態へと復帰させることは出来ない。
【００６１】
そこで、本実施形態では、図１０に示す制御回路により、この図９（ｂ）の状態から図９（ａ）の復帰動作を行わせる。
【００６２】
具体的には、上述した衝撃により、図９（ｂ）の状態となると、図１に示した受光素子１３を介して確認している位置情報が喪失状態となるので、これを図１０に示した位置情報喪失検出部１７が検出し、これを制御部１８に伝達する。
【００６３】
制御部１８は、駆動部１９によりレンズ１２を、図９（ｃ）に示すごとく、図９（ｂ）の状態から水平方向に、板体２の中心部分に形成した回転駆動用貫通孔２Ａ側（内周側）へと移動させる。
【００６４】
この図９（ｃ）に示す場所（内周側）までレンズ（光供給手段の一例）１２が移動されると、その部分で直近のホログラム帯４Ｇから、何層目かを示す層検出情報を読み出し、これで位置情報認識部２０により、何層目に移動したか（飛んだか）が、先ずは検出される。
【００６５】
制御部１８は、この位置情報認識部２０からの位置情報と、図９（ａ）に示している衝撃前の位置情報保持部２１の位置情報とから、レンズ１２の焦点が、先ずは図９（ｄ）の位置（図９（ａ）と同じ層位置）になるように、このレンズ１２を移動させ（レンズ１２と板体２との相対距離が可変されるように移動させ）、次に移動後の渦巻状のホログラム帯４の両側に設けたアドレス情報を確認しながら、図９（ｄ）の位置へとレンズ１２を駆動部１９により移動させ、これにより復帰動作が完了する。
【００６６】
なお、本実施形態において、各渦巻状のホログラム層３を構成する渦巻状のホログラム帯４内周側のホログラム（図８の４Ｇ）に、層検出情報を記録した理由は、円板状の板体２においては、内周側ほど、長期使用における変形が少ないということと、その極近傍の回転駆動用貫通孔２Ａに、駆動軸（図示せず）が挿入され、保持されるので、レンズ１２との間隔位置が安定することの、二つの理由からである。
【００６７】
本実施形態品では、上述したホログラムディスク（ＭＨ）１以外にも、他の情報媒体の記録、再生も行うことが出来る。
【００６８】
図１１はレンズ２２を、ＣＤ２３の記録、再生用として活用する状態を示している。
【００６９】
つまり、ＣＤ２３はレンズ２２とは離れた面に信号を記録し、またはそこから信号を読み出すものであるので、レンズ１２よりもＮＡが小さなレンズ２２を活用する。
【００７０】
この場合、レーザダイオード２４からは赤外光のレーザ光（７８５ｎｍ）が出射され、これがビームスプリッタ７で反射される。この時には、液晶式の１／２波長板８に電圧印加しているので、ビームスプリッタ７で反射された光はＳ偏光となり、次のビームスプリッタ１０で反射される。
【００７１】
ビームスプリッタ１０で反射した赤外光のレーザ光は、反射器２５で反射され、１／４波長板２６を通過後、レンズ２２を介してＣＤ２３の目的とする部分に照射される。
【００７２】
この時は記録時であるので、ＣＤ２３に照射するレーザ光を、読み取り時よりも強くしており、これによりレーザ光が照射されたＣＤ２３への記録が行える。
【００７３】
次にＣＤ２３の再生について説明する。
【００７４】
図１１における破線は信号再生時を示し、この時はＣＤ２３に照射するレーザ光を、記録時よりも弱くしているので、ひたすらＣＤ２３からの反射波を受光素子１３で受光し、再生信号を得るようにしている。
【００７５】
ＣＤ２３からの反射波は、レンズ２２に到達する前に一度１／４波長板２６を通過しているので、反射波として再度通過することでＳ偏光からＰ偏光となり、よって反射器２５で反射後、ビームスプリッタ１０を通過し、次に球面収差補正素子１４、ＢＤのトラッキング用素子１５、焦点調整レンズ１６を介して上述のごとく受光素子１３に到達するようになっている。
【００７６】
図１２はレンズ２２を、ＤＶＤ２７の記録、再生用として活用する状態を示している。
【００７７】
つまり、ＤＶＤ２７はレンズ２２とは離れた面（中央部分）に信号を記録し、または読み出すものであるので、ＮＡの小さなレンズ２２が活用できる。
【００７８】
この場合、レーザダイオード２４からは赤色のレーザ光（６５０ｎｍ）が出射され、これがビームスプリッタ７で反射される。この時、液晶式の１／２波長板８に電圧印加することでＳ偏光にし、これによりビームスプリッタ１０で反射される。
【００７９】
ビームスプリッタ１０で反射した赤外光のレーザ光は、反射器２５で反射され、１／４波長板２６を通過後、レンズ２２を介してＤＶＤ２７の目的とする部分に照射される。
【００８０】
この時は記録時であるので、ＤＶＤ２７に照射するレーザ光を、読み取り時よりも強くしており、これによりレーザ光が照射されたＤＶＤ２７への記録が行える。
【００８１】
次にＤＶＤ２７の再生について説明する。
【００８２】
図１２における破線は信号再生時を示し、この時はＤＶＤ２７に照射するレーザ光を、記録時よりも弱くしているので、ひたすらＤＶＤ２７からの反射波を受光素子１３で受光し、再生信号を得るようにしている。
【００８３】
ＤＶＤ２７からの反射波は、レンズ２２に到達する前に一度１／４波長板２６を通過しているので、反射波として１／４波長板２６を再度通過することでＳ偏光からＰ偏光となり、よって反射器２５で反射後、ビームスプリッタ１０を通過し、次に球面収差補正素子１４、ＢＤのトラッキング用素子１５、焦点調整レンズ１６を介して上述のごとく受光素子１３に到達するようになっている。
【００８４】
図１３はレンズ１２を、ＢＤ２８の記録、再生用として活用する状態を示している。
【００８５】
つまり、ＢＤ２８はレンズ１２の近傍に信号を記録し、またはそこから信号を読み出すものであるので、ＮＡの大きなレンズ１２が活用できる。
【００８６】
先ずは、図１３を用いて、ＢＤ２８への記録について説明する。
【００８７】
レーザダイオード５から出射された青色のレーザ光（４０５ｎｍ）は、リレーレンズ６、ビームスプリッタ７、液晶式の１／２波長板８、球面収差補正素子９、ビームスプリッタ１０、１／４波長板１１を通過し、レンズ１２を介してＢＤ２８の目的部分に照射される。
【００８８】
この時は記録時であるので、ＢＤ２８に照射されるレーザ光を、読み取り時よりも強くしており、これによりレーザ光が照射されたＢＤ２８への記録が行われる。
【００８９】
なお、液晶式の１／２波長板８は電圧印加しておらず、偏光方向の変化は行われない。
【００９０】
次にＢＤ２８の再生について説明する。
【００９１】
図１３における破線は信号再生時を示し、この時はＢＤ２８に照射するレーザ光を、記録時よりも小さくしているので、ひたすらＢＤ２８からの反射波を受光素子１３で受光し、再生信号を得るようにしている。
【００９２】
ＢＤ２８からの反射波は、レンズ１２に到達する前に一度１／４波長板１１を通過しているので、反射波として１／４波長板１１を再度通過することでＰ偏光からＳ偏光となり、よってビームスプリッタ１０で反射され、次に球面収差補正素子１４、ＢＤのトラッキング用素子１５、焦点調整レンズ１６を介して上述のごとく受光素子１３に到達するようになっているのである。
【産業上の利用可能性】
【００９３】
以上のように本発明は、中心部に回転駆動用貫通孔が形成された円板状の記録媒体であって、この記録媒体内の厚さ方向には、複数の渦巻状のホログラム層が、所定間隔で、多層状態に形成され、これら各渦巻状のホログラム層は、情報記録用のホログラムで構成され、かつ各渦巻状のホログラム層の内周側のホログラムには、層検出情報が記録された構成としたものであるので、衝撃発生時の復元動作が行えるようになる。
【００９４】
すなわち、本発明では、各渦巻状のホログラム層の内周側のホログラムに、層検出情報を記録させたものであるので、衝撃発生時には、衝撃移動後の層から、その層の内周側へと光供給手段による光照射部分を移動させ、その後この内周側のホログラムに記憶させた層検出情報を読み取ることで、移動後の層を検出することが出来、その結果として元の読取層への復元動作が行えるようになるのである。
【００９５】
このため、各種の電子機器の記録媒体として広く活用が期待される。
【図面の簡単な説明】
【００９６】
【図１】本発明の一実施形態を示すブロック図
【図２】本発明の一実施形態のホログラムディスク（記録媒体）を示す透視斜視図
【図３】図２の一部拡大透視図
【図４】本発明の一実施形態のホログラムディスク（記録媒体）を示す一部拡大平面図
【図５】図４のレーザ光（円形光）５Ａのエネルギーレベルを示す特性図
【図６】図４の再生時を示す一部拡大平面図
【図７】図４の再生時のトラッキング制御を示す図
【図８】本発明の一実施形態のホログラムディスク（記録媒体）を示す拡大斜視図
【図９】（ａ）〜（ｄ）は、動作説明を行うための図
【図１０】本発明の一実施形態の制御回路を示すブロック図
【図１１】本発明の一実施形態でＣＤの記録、再生時のブロック図
【図１２】本発明の一実施形態でＤＶＤの記録、再生時を示すブロック図
【図１３】本発明の一実施形態でＢＤの記録、再生時を示すブロック図
【符号の説明】
【００９７】
１    ホログラムディスク（ＭＨ）
２    板体
２Ａ    回転駆動用貫通孔
３    渦巻状のホログラム層
４    渦巻状のホログラム帯
４Ａ，４Ｂ    消失エリア
４Ｃ，４Ｄ，４Ｅ，４Ｆ    非消失エリア
４Ｇ    内周部のホログラム帯
５，２４    レーザダイオード
５Ａ，５ａ    レーザ光（円形光）
６    リレーレンズ
７，１０    ビームスプリッタ
８    液晶式の１／２波長板
９，１４    球面収差補正素子
１１，２６    １／４波長板
１２，２２    レンズ
１３    受光素子
１３Ａ    位相比較器
１５    トラッキング用素子
１６    焦点調整レンズ
１７    位置情報喪失検出部
１８    制御部
１９    駆動部
２０    位置情報認識部
２１    位置情報保持部
２３    ＣＤ
２５    反射器
２７    ＤＶＤ
２８    ＢＤ
【図１】
2010198670.tif 000003
【図２】
2010198670.tif 000004
【図３】
2010198670.tif 000005
【図４】
2010198670.tif 000006
【図５】
2010198670.tif 000007
【図６】
2010198670.tif 000008
【図７】
2010198670.tif 000009
【図８】
2010198670.tif 000010
【図９】
2010198670.tif 000011
【図１０】
2010198670.tif 000012
【図１１】
2010198670.tif 000013
【図１２】
2010198670.tif 000014
【図１３】
2010198670.tif 000015